(57)【要約】【課題】回路基板の下に沈降可能な深さの調節を可能にする沈降型電気コネクタを提供すること。【解決手段】沈降型電気コネクタ（２，４，６，６’）は、本体（２１，４１，６１）と少なくとも一つの制限ユニット（２２，４２，６２，６２’）とを含んでいる。本体（２１，４１，６１）は前端部（２１２）と、前端部（２１２）に設けられた接続部（２１３）と、頂表面（２１１，４１１）とを有している。制限ユニットは本体の一側に設けられており、また異なるレベルにそれぞれ配置された複数の制限部（２２１，２２２，２２３，４２１，６２１，６２１’）を含んでいる。制限ユニットの異なるレベルにある制限部の選択された一つのものが、本体の頂表面から回路基板までの距離が可変であるように、回路基板に係合せしめられる。【選択図】図２
2010097941.tif 000002
【特許請求の範囲】
【請求項１】
回路基板（３，５，７）に結合されるように構成された沈降型電気コネクタ（２，４，６，６’）であって、該沈降型電気コネクタ（２，４，６，６’）は：
前端部（２１２）と、前記前端部（２１２）に設けられた接続部（２１３）と、頂表面（２１１，４１１）とを有する本体（２１，４１，６１）と；
前記本体（２１，４１，６１）の一側に設けられた少なくとも一つの制限ユニット（２２，４２，６２，６２’）にして、異なるレベルにそれぞれ配置された複数の制限部（２２１，２２２，２２３、４２１，６２１，６２１’）を含む少なくとも一つの制限ユニット（２２，４２，６２，６２’）と；によって特徴付けられており、
前記本体（２１，４１，６１）の前記頂表面（２１１，４１１）から前記回路基板（３，５，７）までの距離が可変であるように、前記制限ユニット（２２，４２，６２，６２’）の異なるレベルにある前記制限部（２２１，２２２，２２３、４２１，６２１，６２１’）の選択された一つのものが前記回路基板（３，５，７）に係合せしめられる、沈降型電気コネクタ（２，４，６，６’）。
【請求項２】
前記複数の制限部（２２１，２２２，２２３）が前記本体（２１）から側方に突出している複数のタブであることを特徴とする、請求項１に記載の沈降型電気コネクタ（２）。
【請求項３】
前記複数のタブが互いに前後方向にずれて配置されていることを特徴とする、請求項２に記載の沈降型電気コネクタ（２）。
【請求項４】
前記回路基板（３）の中への挿入のために前記本体（２１）から下方に延びる少なくとも一つの挿入片（２４）によって更に特徴付けられている、請求項３に記載の沈降型電気コネクタ（２）。
【請求項５】
前記回路基板（３，５，７）の中への挿入のために前記本体（２１，４１，６１）から下方に延びる少なくとも一つの挿入片（２４，４４，６５，６５’）によって更に特徴付けられている、請求項１に記載の沈降型電気コネクタ（２，４，６，６’）。
【請求項６】
前記挿入片（４４，６５，６５’）が下方向に収束して延び、前記制限部（４２１，６２１，６２１’）が前記挿入片（４４，６５，６５’）の異なるレベルの部分であることを特徴とする、請求項５に記載の沈降型電気コネクタ（４，６，６’）。
【請求項７】
前記挿入片（４４、６５）がほぼ楔形のものであることを特徴とする、請求項６に記載の沈降型電気コネクタ（４，６）。
【請求項８】
前記挿入片（６５’）が階段状の二つの側方縁を有することを特徴とする、請求項６に記載の沈降型電気コネクタ（６’）。
【請求項９】
前記本体（６１）の他側から突出している突出ブロック（６３）にして、階段状の底表面部（６３１）を有する突出ブロック（６３）によって更に特徴付けられている、請求項６に記載の沈降型電気コネクタ（６）。
【請求項１０】
前記本体（６１）に設けられた複数の端子（６４）にして、前記突出ブロック（６３）の前記底表面部（６３１）から外側に突出し且つ階段状に形成された複数の端子（６４）によって更に特徴付けられている、請求項９に記載の沈降型電気コネクタ（６）。
【請求項１１】
前記突出ブロック（６３）が前記本体（６１）の背面側から突出し、前記底表面部（６３１）が後方及び上方に向かって延びていることを特徴とする、請求項１０に記載の沈降型電気コネクタ（６）。
【請求項１２】
受容凹部（３１，５１，７１）及び少なくとも一つの位置決め穴（３２，５２，７２）を備える回路基板（３，５，７）と、沈降型電気コネクタ（２，４，６，６’）とによって特徴付けられている、沈降型電気コネクタ（２，４，６，６’）と回路基板（３，５，７）との組立体であって：
前記沈降型電気コネクタ（２，４，６，６’）は：
前端部（２１２）と、前記前端部（２１２）に設けられた接続部（２１３）と、頂表面（２１１，４１１）とを有する本体（２１，４１，６１）と；
前記位置決め穴（３２，５２，７２）に同数の少なくとも一つの挿入片（２４，４４，６５，６５’）にして、前記本体（２１，４１，６１）が前記受容凹部（３１，５１，７１）内に受容され且つ位置決めされるように前記位置決め穴（３２，５２，７２）への挿入のために前記本体（２１，４１，６１）から下方に延びる少なくとも一つの挿入片（２４，４４，６５，６５’）と；
前記本体（２１，４１，６１）の一側に設けられた少なくとも一つの制限ユニット（２２，４２，６２，６２’）にして、異なるレベルにそれぞれ配置された複数の制限部（２２１，２２２，２２３、４２１，６２１，６２１’）を含む少なくとも一つの制限ユニット（２２，４２，６２，６２’）と；を含んでいて、
前記本体（２１，４１，６１）の前記頂表面（２１１，４１１）から前記回路基板（３，５，７）までの距離が可変であるように、前記制限ユニット（２２，４２，６２，６２’）の異なるレベルにある前記制限部（２２１，２２２，２２３、４２１，６２１，６２１’）の選択された一つのものが前記回路基板（３，５，７）に係合せしめられる、沈降型電気コネクタ（２，４，６，６’）である、
沈降型電気コネクタ（２，４，６，６’）と回路基板（３，５，７）との組立体。
【請求項１３】
前記複数の制限部（２２１，２２２，２２３）が前記本体（２１）から側方に突出した複数のタブであり、前記沈降型電気コネクタ（２）が前記回路基板（３）に結合されたとき前記複数のタブの一つが前記回路基板（３）に当接することを特徴とする、請求項１２に記載の沈降型電気コネクタ（２）と回路基板（３）との組立体。
【請求項１４】
前記複数のタブが互いに前後方向にずれていることを特徴とする、請求項１３に記載の沈降型電気コネクタ（２）と回路基板（３）との組立体。
【請求項１５】
前記挿入片（４４，６５，６５’）が下方向に収束して延びており、前記制限部（４２１，６２１，６２１’）が前記挿入片（４４，６５，６５’）の異なるレベルの部分であることを特徴とする、請求項１２に記載の沈降型電気コネクタ（４，６，６’）と回路基板（５，７）との組立体。
【請求項１６】
前記挿入片（４４，６５）がほぼ楔形のものであることを特徴とする、請求項１５に記載の沈降型電気コネクタ（４，６）と回路基板（５，７）との組立体。
【請求項１７】
前記挿入片（６５’）が階段状の二つの側方縁を有することを特徴とする、請求項１５に記載の沈降型電気コネクタ（６’）と回路基板（７）との組立体。
【請求項１８】
前記沈降型電気コネクタ（６）が、前記本体（６１）の他側から突出するとともに階段状の底表面部（６３１）を有する突出ブロック（６３）を更に含むことを特徴とする、請求項１５に記載の沈降型電気コネクタ（６）と回路基板（７）との組立体。
【請求項１９】
前記本体（６１）に設けられた複数の端子（６４）にして、前記突出ブロック（６３）の前記底表面部（６３１）から外側に突出し且つ階段状に形成された複数の端子（６４）を前記沈降型電気コネクタ（６）が更に含んでいることを特徴とする、請求項１８に記載の沈降型電気コネクタ（６）と回路基板（７）との組立体。
【請求項２０】
前記突出ブロック（６３）が前記本体（６１）の背面側から突出し、前記底表面部（６３１）が後方及び上方に向かって延びていることを特徴とする、請求項１９に記載の沈降型電気コネクタ（６）と回路基板（７）との組立体。
【発明の詳細な説明】
【技術分野】
【０００１】
本発明は、沈降型電気コネクタに関するものであり、より詳しくは電気コネクタが回路基板の下に沈降可能な深さの調節が可能な沈降型電気コネクタに関するものである。
【背景技術】
【０００２】
減縮されたサイズと重量の電子機器に対する使用者の要求の観点から、非常に薄いノートブックコンピュータの多くのデザインが発表されて、薄型化に向かうノートブックコンピュータ市場の趨勢をもたらしている。しかしながら、薄型化されたデザインを実現するためには、標準的な電気コネクタの高さは通常、内部構造の配置における主要な問題となっている。従って沈降型電気コネクタが開発されてきた。
【０００３】
図１を参照すると、従来型の沈降型電気コネクタ１１が、二つのタブ１１１（一つのみが示される）によって、回路基板１２より下への“沈降”の効果を獲得しており、前記二つのタブ１１１は該電気コネクタの両側面から突出していて、電気コネクタ１１の一部分が回路基板１２と電子機器のハウジング（不図示）との間に存在する空間の中に沈降するように回路基板１２の頂面に搭載されている。しかしながら、電気コネクタ１１のそれぞれの側面には唯一つのタブ１１１が設けられているので、電気コネクタ１１が回路基板１２の下に沈降可能な深さ（又は沈降深さと呼ばれる深さ）は固定されていて変えることができない。従って、電気コネクタ１１が様々な沈降深さを有する必要があるなら、新規な電気コネクタを開発することが必要であり、そのことは追加の費用と時間とを意味する。さらに、生産単位は、異なるタイプのノートブックコンピュータ用の異なる仕様の電気コネクタを準備することを求められるので、在庫費用が比較的高額になる。したがって改良の余地がまだ存在する。
【発明の概要】
【発明が解決しようとする課題】
【０００４】
従って、本発明の目的は、電気コネクタが回路基板の下に沈降可能な深さの調節を可能にする沈降型電気コネクタを提供することである。
【０００５】
本発明の他の目的は、電気コネクタが回路基板の下に沈降可能な深さの調節を可能にする沈降型電気コネクタと回路基板との組立体を提供することである。
【課題を解決するための手段】
【０００６】
従って、本発明の沈降型電気コネクタは回路基板に結合するように構成されていて、本体と少なくとも一つの制限ユニットとを含んでいる。本体は、前端部と、この前端部に設けられた接続部と、頂表面とを有している。制限ユニットは、本体の一側に設けられていて、異なるレベルにそれぞれ配置された複数の制限部を含んでいる。本体の頂表面から回路基板までの距離が可変であるように、制限ユニットの異なるレベルにある複数の制限部の選択された一つのものが回路基板に係合せしめられる。
【０００７】
本発明の実施形態では、複数の制限部は、本体から側方に突出した複数のタブであり、前記複数のタブは互いに前後方向にずれて配置されている。好適には、沈降型電気コネクタは、回路基板への挿入のために本体から下方に延びる少なくとも一つの挿入片を更に含んでいる。
【０００８】
本発明の実施形態では、沈降型電気コネクタは、回路基板への挿入のために本体から下方へ延びる少なくとも一つの挿入片を更に含んでいる。挿入片は下方向に収束するように延びている。制限部は、挿入片の異なるレベルの部分である。二つのタイプの挿入片がある。第１のタイプの挿入片は、ほぼ楔形のものである。第２のタイプの挿入片は、階段状の二つの側方縁を有している。好適には、沈降型電気コネクタは本体の他側から突出する突出ブロックを更に含んでいる。突出ブロックは後方及び上方に向かって延びる階段状の底表面部を有している。沈降型電気コネクタは、本体に設けられた複数の端子を更に含んでいる。端子は、突出ブロックの底表面部から外側に突出するとともに、階段状になっている。
【０００９】
本発明の沈降型電気コネクタと回路基板との組立体は、回路基板と沈降型電気コネクタとを含んでいる。回路基板は受容凹部と少なくとも一つの位置決め穴とを備えている。沈降型電気コネクタは、本体と、位置決め穴に同数の少なくとも一つの挿入片と、少なくとも一つの制限ユニットとを含んでいる。本体は、前端部と、前記前端部に設けられた接続部と、頂表面とを有している。本体が受容凹部内に受容されて位置決めされるように、挿入片は、位置決め穴内への挿入のために本体から下方に延びている。制限ユニットは本体の一側に設けられていて、異なるレベルにそれぞれ配置された複数の制限部を含んでいる。本体の頂表面から回路基板までの距離が可変であるように、制限ユニットの異なるレベルにある複数の制限部の選択された一つのものが回路基板に係合せしめられる。
【００１０】
本発明の実施形態では、複数の制限部は本体から側方に突出した複数のタブであり、前記複数のタブは互いに前後方向にずれて配置されている。沈降型電気コネクタが回路基板に結合されたとき、複数のタブの一つが回路基板に当接する。
【００１１】
本発明の実施形態では、挿入片は下方向に収束するように延びている。制限部は挿入片の異なるレベルの部分である。二つのタイプの挿入片がある。第１のタイプの挿入片は、ほぼ楔形のものである。第２のタイプの挿入片は階段状の二つの側方縁を有している。好適には、沈降型電気コネクタは本体の他側から突出する突出ブロックを更に含んでいる。突出ブロックは、後方及び上方に向かって延びる階段状の底表面部を有している。沈降型電気コネクタは、本体に設けられた複数の端子を更に含んでいる。端子は、突出ブロックの底表面部から外側に突出しており、また階段状になっている。
【００１２】
本発明の作用は次のとおりである。異なるレベルに配置された複数の制限部を含む制限ユニットの構成により、本体の頂表面から回路基板までの距離が可変であるように、複数の制限部の選択された一つのものが回路基板に係合せしめられることが可能であり、そのことにより、電気コネクタが回路基板の下に沈降可能な深さを調節するという目的が達成される。
【００１３】
本発明の他の特徴と利点は、添付図面を参照する以下の好適な実施形態の詳細な説明で明らかになるだろう。
【図面の簡単な説明】
【００１４】
【図１】回路基板に搭載された従来型の沈降型電気コネクタの斜視図である。
【図２】本発明による沈降型電気コネクタの第１の好適実施形態の斜視図である。
【図３】第１の好適実施形態が異なる沈降深さでどのように回路基板に搭載されるかを示す斜視図である。
【図４】図３の正面図である。
【図５】図３の底面図である。
【図６】本発明による沈降型電気コネクタの第２の好適実施形態の斜視図である。
【図７】第２の好適実施形態と協働する回路基板の平面図である。
【図８Ａ】異なる沈降深さで回路基板に搭載されたときの第２の好適実施形態の側面図である。
【図８Ｂ】異なる沈降深さで回路基板に搭載されたときの第２の好適実施形態の側面図である。
【図８Ｃ】異なる沈降深さで回路基板に搭載されたときの第２の好適実施形態の側面図である。
【図９】本発明による沈降型電気コネクタの第３の好適実施形態の斜視図である。
【図１０】第３の好適実施形態と協働する回路基板の平面図である。
【図１１Ａ】異なる沈降深さで回路基板に搭載されたときの第３の好適実施形態の側面図である。
【図１１Ｂ】異なる沈降深さで回路基板に搭載されたときの第３の好適実施形態の側面図である。
【図１１Ｃ】異なる沈降深さで回路基板に搭載されたときの第３の好適実施形態の側面図である。
【図１２】本発明による沈降型電気コネクタの第４の好適実施形態の斜視図である。
【発明を実施するための形態】
【００１５】
本発明の前述の及び他の技術的内容、特徴、及び作用は、添付図面を参照する、四つの好適実施形態の以下の詳細な説明において明らかになるであろう。以下の実施形態で言及される頂部、底、左、右、前、及び後のような方向指示用語は図との関係で定義されている。使用されている方向指示用語は、本発明の範囲を限定するものではなく本発明の説明を容易にすることが意図されている。
【００１６】
図２を参照すると、本発明の沈降型電気コネクタ２の第１の好適実施形態は、本体２１と、該本体２１に設けられた複数の端子２３と、本体２１から下方に延びる二つの挿入片２４と、二つの制限ユニット２２とを含んでいる。視角の関係で、端子２３、挿入片２４、及び制限ユニット２２の各々の一つだけが図２で見ることができる。
【００１７】
電気コネクタ２の本体２１は、前端部２１２と、この前端部２１２に設けられた二つの接続部２１３と、頂表面２１１とを有している。特にこの実施形態では、本体２１は、絶縁座とこの絶縁座を覆う金属シェルとを含んでいる。接続部２１３は絶縁座の前端部に形成されている。本明細書で言及される頂表面２１１は、金属シェルの頂表面であり得る。端子２３は、絶縁座上に設けられており、絶縁座の後側から外側に部分的に突出して、下方に屈曲して延びている。挿入片２４は、金属シェルの後部の左右両側にそれぞれ形成されていて、前記左右両側から下方に延びている。
【００１８】
二つの制限ユニット２２は本体の左右両側にそれぞれ設けられている。この実施形態では、制限ユニット２２は、本体２１の金属シェルに結合されていて、挿入片２４の前に配置されている。制限ユニット２２の各々は、異なるレベルに位置する三つの制限部２２１，２２２，２２３を含んでいる。この実施形態では、制限部２２１，２２２，２２３の各々は、本体２１の金属シェルから側方に突出しているタブである。制限部２２１，２２２，２２３は前後方向で互いにずれている。
【００１９】
図３から図５の各々は、この実施形態の電気コネクタ２が回路基板３上に搭載され得る三つの状態を図解していることが注目されるべきである。前記三つの状態において、制限ユニット２２の異なるレベルにある制限部２２１，２２２，２２３はそれぞれ回路基板３に係合せしめられ、その結果本体２１の頂表面２１１から回路基板３までの距離が各状態で異なっている（つまり、電気コネクタ２が回路基板３の下に沈降する深さが各状態で異なっている）。説明を容易にするために、電気コネクタ２は、前記三つの状態においてそれぞれ電気コネクタ２Ａ、電気コネクタ２Ｂ、及び電気コネクタ２Ｃと呼ばれる。
【００２０】
図３〜図５を参照すると、回路基板３は、電気コネクタ２Ａ、２Ｂ、２Ｃをそれぞれ搭載するための受容凹部３１を備えている。複数の端子挿入穴３３が、受容凹部３１の各々の後側の回路基板３に設けられており、また位置決め穴３２が、複数の端子挿入穴３３の両側の各々に設けられている。この実施形態では、受容凹部３１の各々は回路基板３の前縁を後方に窪ませることにより形成されている。
【００２１】
この実施形態では、電気コネクタ２を回路基板３に結合することが望ましいとき、電気コネクタ２は、端子２３の下方に延びる部分が端子挿入穴３３を貫通して延びるように、及び本体２１の左右両側の挿入片２４が回路基板３の二つの位置決め穴３２の中にそれぞれ挿入されるように、及び本体２１の左右両側の制限ユニット２２の制限部２２１，２２２，２２３の対応するペアが回路基板３に当接するように、下方向に沿って回路基板３に結合される。本体２１の頂表面２１１から回路基板３までの距離（即ち、電気コネクタ２が回路基板３の下に沈降する深さ）は、回路基板３に当接する制限部２２１，２２２，２２３の選択されたペアを有することにより可変である。
【００２２】
電気コネクタ２Ａの状態では、電気コネクタ２Ａの両側における最も低い制限部２２１が、対応する受容凹部３１の両側で回路基板３に当接するので、電気コネクタ２Ａの頂表面２１１から回路基板３までの距離はこの状態では比較的に最大である。即ち電気コネクタ２Ａが回路基板３の下に沈降する深さは比較的に最小である。電気コネクタ２Ｂ及び電気コネクタ２Ｃに関しては、より高いレベルにある制限部２２２、２２３が回路基板３に当接するので、電気コネクタ２Ｂ、２Ｃの各々の頂表面２１１から回路基板３までの距離は比較的に小さい。即ち電気コネクタ２Ｂ、２Ｃが回路基板３の下に沈降する深さは比較的大きい。
【００２３】
この実施形態では以下のことが注目に値する。電気コネクタ２は、それを下方向に挿入することによって回路基板３上に配置されるので、電気コネクタ２Ｂ又は電気コネクタ２Ｃの状態の沈降深さで電気コネクタ２を回路基板３に結合することが望まれるとき、回路基板３の前縁に近接している回路基板３の受容凹部３１の左右両側は、受容凹部３１の両側における更なる窪みの幅が一つのタブ（即ち一つの制限部２２１，２２２，２２３）の幅に少なくとも等しくなる程度で更に側方に窪ませられ、その結果受容凹部３１は回路基板３の前縁に近接する第１領域３１１と前記第１領域３１１の幅より小さな幅を有する第２領域３１２とに分けられ得る。従って、電気コネクタ２Ｂが、回路基板３に下方向に結合されるとき、電気コネクタ２Ｂの両側における制限部２２２は、第２領域３１２の横の両側に近接して回路基板３に当接し、また制限部２２２の前の制限部２２１は、電気コネクタ２Ｂの回路基板３への結合に影響を与えないように、第１領域３１１を通って回路基板３を下方向に通過することができる。同様に、電気コネクタ２Ｃが回路基板３に下方向に結合されるとき、電気コネクタ２Ｃの両側における制限部２２３は、第２領域３１２の横の両側に近接して回路基板３に当接し、また制限部２２３の前の制限部２２１、２２２は第１領域３１１を通って回路基板３を下方向に通過することができる。
【００２４】
この実施形態における制限部２２１，２２２，２２３は、金属シェルの一部分を外側に曲げることにより形成されているのでやはり金属材料のものであるので、制限部２２１，２２２，２２３が回路基板３に当接したとき接地作用が追加的に獲得され得る。
【００２５】
図６を参照すると、本発明による沈降型電気コネクタ４の第２の好適実施形態が、本体４１と、前記本体４１の左右両側にそれぞれ設けられた二つの挿入片４４と、本体４１に設けられた複数の端子４３と、本体４１の左右両側にそれぞれ設けられた二つの制限ユニット４２とを含んでいる。
【００２６】
第２の好適実施形態では、端子４３の一部分が本体４１の背面側から外側に突出して、下方に曲がって延びている。二つの制限ユニット４２の構造は、二つの挿入片４４にそれぞれ一体に結合されている。挿入片４４の各々は、本体４１の頂端部で本体４１に結合されていて、下方向に収束するように延びており、またほぼ楔形のものである。制限ユニット４２の各々は、制限部４２１を有しており（図８Ａ〜８Ｃ参照）、前記制限部４２１は挿入片４４の異なるレベルの部分である。
【００２７】
図７及び図８Ａ〜８Ｃを参照すると、図８Ａ〜８Ｃは、第２の好適実施形態の電気コネクタ４が異なる深さで回路基板５の下に沈降するように回路基板５に結合されている状態をそれぞれ図解していることが注目されるべきである。電気コネクタ４が回路基板５に下方向で結合されるとき、本体４１の底部は回路基板５の受容凹部５１内に部分的に受容され、端子４３の曲がって下方に延びている部分は回路基板５の端子挿入穴５３内に挿入され、挿入片４４は回路基板５の位置決め穴５２内に対応して挿入される。挿入片４４は下方に収束する楔形のものであるので、回路基板５の位置決め穴５２の幅（Ｄ１）が異なるとき、異なるレベルにある挿入片４４の部分（即ち制限部４２１）は挿入片４４が位置決め穴５２内に挿入されたとき回路基板５に当接し、その結果挿入片４４が位置決め穴５２内に挿入される深さが異なることは注目に値する。したがって、本体４１の頂表面４１１から回路基板５までの距離は可変であり、それにより電気コネクタ４が回路基板５の下に沈降可能な深さを調節するという目的が達成される。
【００２８】
一般的に、電子部品は、二つのタイプ、即ちデュアルインラインパッケージ（ＤＩＰ）及び表面実装デバイス（ＳＭＤ）に分類され、主要な違いはその信号ピンが回路基板を貫通して延びるか否かである。ＤＩＰの信号ピンは回路基板を貫通して延びるのに対して、ＳＭＤの信号ピンは表面実装技術を使って搭載されて、回路基板を貫通しない。従って、本発明の第１及び第２の実施形態はＤＩＰに適したデザインであり、異なるデザインがＳＭＤに必要とされる。
【００２９】
図９を参照すると、本発明による沈降型電気コネクタ６の第３の好適実施形態は、ＳＭＤに適したデザインであって、本体６１と、前記本体６１に結合された突出ブロック６３と、四つの挿入片６５と、四つの制限ユニット６２とを含んでいる。四つの挿入片６５の二つが本体６１の左右両側から側方に突出しており、また挿入片６５の他の二つが突出ブロック６３の左右両側から側方に突出している。
【００３０】
制限ユニット６２の各々の構造は挿入片６５の対応する一つに一体に結合されている。挿入片６５及び制限ユニット６２は、第２の好適実施形態のものに構造的にほぼ同一であり、したがって説明を簡潔にするために更に説明されない。
【００３１】
この実施形態では、突出ブロック６３は、本体６１の背面側から後方に突出しており、また後方及び上方に向かって一体に延びている階段状の底表面部６３１を有している。更に、この実施形態では、電気コネクタ６の端子６４は、突出ブロック６３の底表面部６３１から後方に突出して同様に階段状にされている。
【００３２】
図１０及び図１１Ａ〜１１Ｃを参照すると、電気コネクタ６が回路基板７に結合されるとき、本体６１の両側の挿入片６５及び突出ブロック６３の両側の挿入片６５は、回路基板７の位置決め穴７２内にそれぞれ挿入される。位置決め穴７２の幅が異なるとき、異なるレベルにある挿入片６５の異なる部分（即ち制限部６２１）が回路基板７に当接して、電気コネクタ６が回路基板７の下に沈降する深さを調節するように、挿入片６５は位置決め穴７２内に挿入される。具体的には、突出ブロック６３の底表面部６３１が階段状にされているので、電気コネクタ６が挿入片６５によって回路基板７に挿入可能に搭載されて図１１Ａ〜１１Ｃに示されるようにある高さ（Ｈ）で位置決めされたとき、突出ブロック６３の底表面部６３１の階段の一つにして高さ（Ｈ）に対応するレベルにある底表面部６３１の階段の一つは、電気コネクタ６の高さ（Ｈ）での位置決めを支援するように回路基板７に当接せしめられる。突出ブロック６３の底表面部６３１から外側に露出している端子６４の階段状部分は回路基板７上に対応して溶接され得る。
【００３３】
突出ブロック６３の底表面部６３１の階段は後方及び上方に向かって延びているので、回路基板７の受容凹部７１の凹部深さ（Ｄ２）が電気コネクタ６の沈降深さに応じて変えられ得ることが特に注目されるべきである。換言すると、受容凹部７１の凹部深さ（Ｄ２）は、電気コネクタ６が回路基板７の下に沈降するように形成される深さに応じて決定される。
【００３４】
図１２を参照すると、本発明による沈降型電気コネクタ６’の第４の好適実施形態は、やはりＳＭＤに適したデザインであって、制限ユニット６２’の制限部６２１’が比較的特徴的であるようにこの実施形態の挿入片６５’の側方縁が階段状であり且つ下方に収束していることにおいて第３の好適実施形態とは異なっている。電気コネクタ６’の沈降深さを調節する目的が同様に達成される。電気コネクタ６’の構成要素は第３の好適実施形態の構成要素と同一であるので、簡潔にするためにここでは説明されない。
【００３５】
制限ユニット２２、４２，６２，６２’の数量は上述の実施形態では具体的に記載されたが、制限ユニット２２、４２，６２，６２’は２以上の任意の数であり得るとともに上述の開示に限定されるべきではない。
【００３６】
つまり、異なるレベルに配置された複数の制限部２２１，２２２，２２３、４２１、６２１，６２１’を含む制限ユニット２２、４２，６２，６２’によって、電気コネクタ２、４，６，６’が回路基板３、５，７の下に沈降し得る深さが、制限部２２１，２２２，２２３、４２１、６２１，６２１’の対応する一つを回路基板３、５，７上に配置することによって調節可能であり、そのことにより、異なる沈降深さに適合された新しい電気コネクタを開発するために必要な費用と時間とが節約されるとともに、異なる仕様の電気コネクタの在庫を準備することに結びついた在庫費用が低減される。
【００３７】
本発明は、最も実用的で好適な実施形態であるとみなされたものに関連して説明されてきた一方で、本発明が開示された実施形態に限定されないが、そのような全ての変更例及び等価な配置構成を包含するように、最も広い解釈の精神及び範囲の中に含まれる様々な配置構成を含むことが意図されていることが理解される。
【符号の説明】
【００３８】
２    電気コネクタ
３    回路基板
２１    本体
２２    制限ユニット
２４    挿入片
２１１    頂表面
２１２    前端部
２１３    接続部
２２１    制限部
２２２    制限部
２２３    制限部
【図１】
2010097941.tif 000003
【図２】
2010097941.tif 000004
【図３】
2010097941.tif 000005
【図４】
2010097941.tif 000006
【図５】
2010097941.tif 000007
【図６】
2010097941.tif 000008
【図７】
2010097941.tif 000009
【図８Ａ】
2010097941.tif 000010
【図８Ｂ】
2010097941.tif 000011
【図８Ｃ】
2010097941.tif 000012
【図９】
2010097941.tif 000013
【図１０】
2010097941.tif 000014
【図１１Ａ】
2010097941.tif 000015
【図１１Ｂ】
2010097941.tif 000016
【図１１Ｃ】
2010097941.tif 000017
【図１２】
2010097941.tif 000018
【外国語明細書】
2010097941000001.pdf